(57)【要約】  【課題】独立した複数の径の異なるコードを単一の押圧機構で固定できる、作業性の良いコードクランプ装置を提供することを目的とする。  【解決手段】  コードクランプ装置１１１はケース１０１に一体に形成され、複数の溝１１０を備えたクランプベース１００と、複数の溝１１０にまたがるように配置され、可撓性を有する支持帯１２０と、コード１４０を押さえるためのクランプカバー１５０と、クランプカバー１５０をクランプベース１００に固定するためのネジ１８０で構成され、単一のネジを締め付けることにより独立した複数の径のコードを固定される。【選択図】図３
2007104864.tif 000002
【特許請求の範囲】
【請求項１】
複数の溝を備えたクランプベースと、前記複数の溝にまたがるように配置され、両端側を前記クランプベースに係止した可撓性を有する支持帯と、前記複数の溝に対応する位置において前記支持帯にコードを押圧するクランプカバーと、前記クランプカバーを前記クランプベースに押圧する押圧機構を備えたコードクランプ装置。
【請求項２】
押圧機構を、クランプカバーを介してクランプベースに螺着されるネジで形成した請求項１に記載のコードクランプ装置。
【請求項３】
クランプカバーの複数の溝に対応する位置に複数の押圧突起を設けた請求項１に記載のコードクランプ装置。
【請求項４】
複数の支持帯を備え、前記複数の支持帯どうしの間に凸部を配置した請求項３に記載のコードクランプ装置。
【請求項５】
支持帯は鋼線の織物、もしくはワイヤーで形成された請求項１から請求項４のいずれか一項に記載のコードクランプ装置。
【請求項６】
支持帯はポリアミドで形成された請求項１から請求項４のいずれか一項に記載のコードクランプ装置。
【発明の詳細な説明】
【技術分野】
【０００１】
本発明は、冷蔵庫のコンプレッサーのように回転数を制御する制御機構を有する家電製品のコードクランプ装置に関するものである。
【背景技術】
【０００２】
従来、この種のコードクランプ装置には、各コードに対応したネジによってコードを一本ずつネジ止めして固定するものがある（例えば特許文献１参照）。
【０００３】
以下、図面を参照しながら上記従来のコードクランプ装置の説明をする。
【０００４】
図７は従来のコードクランプ装置を示す正面図である。
【０００５】
コードクランプ装置は複数のコード溝１５を形成したクランプベース１０と、クランプベース１０に係止されコード溝１５に対向した位置にネジ孔２５を設けたクランプカバー２０と、ネジ孔２５に挿入され、端部にコード押さえ４５を形成したネジ部４０から形成される。コード溝１５の底部にはリブ５０を設けており、リブ５０とコード押さえ４５との間でコード３０を挟持する構造となっている。
【０００６】
以上のように構成されたコードクランプ装置について、以下その動作を説明する。
【０００７】
コード３０を予めコード溝１５に配置し、ネジ部４０を組み付けたクランプカバー２０をクランプベース１０に係止する。そしてそれぞれのコード３０に対し、それぞれネジ部４０を回転させ推進させることでコード３０はリブ５０とコード押さえ４５との間で挟持される。この際、リブ５０がコード３０に食い込むことにより、コード３０を把持する抵抗が増加し、コード３０はクランプベース１０にしっかりと固定される。
【特許文献１】特開平１−２２７８７９号公報
【発明の開示】
【発明が解決しようとする課題】
【０００８】
しかしながら上記従来のコードクランプ装置においては、例えば径の異なる複数のコードがある場合、各コードに対応したネジによってコードを一本ずつ、ネジ止めしなければいけないため、コードの本数に応じて同数のネジが必要になり、ネジ止めする回数が多くなる。よってコードの本数が増えると生産性が低下するという課題を有していた。
【０００９】
本発明は、複数のコードを少ない工程で固定することのできる生産性の高いコードクランプ装置を提供することを目的とする。
【課題を解決するための手段】
【００１０】
上記従来の課題を解決するために、本発明のコードクランプ装置は、複数の溝を備えたクランプベースと、複数の溝にまたがるように配置され、両端側を前記クランプベースに係止した可撓性を有する支持帯と、複数の溝に対応する位置において支持帯にコードを押圧するクランプカバーと、クランプカバーをクランプベースに押圧する押圧機構を備えたもので、クランプベースとクランプカバーの間に支持帯を介してコードを挟持することにより、クランプカバーを一箇所で押圧することで、支持帯が変形し複数の径の異なるコードを均一に押さえることができることから、単一の押圧機構で複数のコードを固定できるという作用を有する。
【発明の効果】
【００１１】
本発明のコードクランプ装置は、複数のコードを少ない工程で固定することのできる生産性の高いコードクランプ装置を提供することができるという効果が得られる。
【発明を実施するための最良の形態】
【００１２】
請求項１に記載の発明は、「複数の溝を備えたクランプベースと、前記複数の溝にまたがるように配置され、両端側を前記クランプベースに係止した可撓性を有する支持帯と、前記複数の溝に対応する位置において前記支持帯にコードを押圧するクランプカバーと、前記クランプカバーを前記クランプベースに押圧する押圧機構を備える」としたもので、クランプベースとクランプカバーの間に支持帯を介してコードを挟持することにより、コードを押圧時、支持帯が変形し複数の径の異なるコードに均一に加重を与えることができることから、複数のコードを少ない工程で固定することのできる生産性の高いコードクランプ装置を提供することができるという効果が得られる。
【００１３】
請求項２に記載の発明は、請求項１に記載の発明において、押圧機構を、クランプカバーを介してクランプベースに螺着されるネジで形成したもので、それにより、クランプカバーは径の異なる複数のコードをネジだけで押圧するとともに、保持することができることから、簡単な構造で確実にクランプでき、請求項１に記載の発明の効果に加えて、さらにコードクランプ装置の作業性と信頼性を向上させるという効果を持つ。
【００１４】
請求項３に記載の発明は、請求項１に記載の発明において、クランプカバーの複数の溝に対応する位置に複数の押圧突起を設けたもので、コードが溝を形成する仕切り板より低い位置に来ないと支持帯により負荷が掛からない場合でも、押圧突起によりコードをおすことができ、クランプ機構に使用できるコード径の範囲を広げることができるため、支持帯の長さやリブの高さを調整する必要がなくなり、請求項１に記載の発明の効果に加えて更に安価なコードクランプ装置を提供できるという効果を持つ。
【００１５】
請求項４に記載の発明は、請求項３に記載の発明において、複数の支持帯を備え、前記複数の支持帯どうしの間に押圧突起を配置したもので、複数の支持帯でコードに負荷をかけると同時に、複数の支持帯の間に押圧突起を設けることでコードを支持帯の間でさらに押し込むので、請求項３に記載の発明の効果に加えて、コードの拘時力の高いコードクランプ装置を提供できるという効果を持つ。
【００１６】
請求項５に記載の発明は、請求項１から請求項４のいずれか一項に記載の発明において支持帯は鋼線の織物、もしくはワイヤーで形成されたもので、支持帯を鋼線もしくはワイヤーで形成することで、支持帯を細くすることができ、コードにかかる面圧を高くし、支持帯のコードへの咬持力を大きくすることができるので、コードの軸心方向へ引っ張った時の抵抗が大きくなるため、請求項１から請求項４のいずれか一項に記載の発明の効果に加え、コードの拘持力をさらに向上させるという効果をもつ。
【００１７】
請求項６に記載の発明は、請求項１から請求項４のいずれか一項に記載の発明において、支持帯はポリアミドで形成されたもので、支持帯をポリアミドで形成することにより、より安価に支持帯を形成することができるため、請求項１から請求項４のいずれか一項に記載の発明の効果に加えて、安価なコードクランプ装置を提供できるという効果を持つ。
【００１８】
（実施の形態１）
図１は本発明の実施の形態１におけるコードクランプ装置のクランプベースとコードと支持帯の組み立て斜視図、図２は同実施の形態のコードクランプ装置のクランプカバーの斜視図、図３は同実施の形態のコードクランプ装置の全体の組み立て分解斜視図である。
【００１９】
樹脂製のケース１０１は冷蔵庫に使用されるコンプレッサーのインバーター用の基板１０３等を内包するための空洞部１０７を有し、基板１０３は空洞部１０７内にネジ１０４によって固定部１０５に固定されている。基板１０３にはコード１４０の取り付けが容易になるように複数のコネクター１０２が開口部１０６と平行に一列に設置されている。
【００２０】
コネクター１０２には、入力電源と制御信号の送信コードと、センサーからの受信コード等の複数のコード１４０が取り付けられる。複数のコード１４０は、コネクター１０２に接続後、開口部１０６に設けられた半円状のガイド部１０８に当接し、コードクランプ装置１１１へと導かれる。
【００２１】
コードクランプ装置１１１はケース１０１に一体に形成され、複数の溝１１０を備えたクランプベース１００と、複数の溝１１０にまたがるように配置され、可撓性を有する支持帯１２０と、コード１４０を押さえるためのクランプカバー１５０と、クランプカバー１５０をクランプベース１００に固定するためのネジ１８０で構成されている。
【００２２】
クランプベース１００には、コードの最大径と押さえ代を足した高さよりも高い複数のリブ１１５によって複数の溝１１０が形成され、両端のリブ１１５には支持帯１２０を保持するための切り欠き１１６を有しているとともに、ネジ止め用の土台部１３１とネジ穴部１３０が設けられている。
【００２３】
両端に係止部１２５を形成した支持帯１２０はポリアミドからなり、両端のリブ１１５の切り欠き１１６に係止部１２５が係止され、複数の溝１１０をまたがるように、両端のリブ１１５以外のリブ１１５との間では滑動できる状態で配設される。また、支持帯１２０の中央にはネジ１８０が貫通するための貫通孔１２１が設けられている。
【００２４】
クランプカバー１５０は溝１１０を形成する両端のリブ１１５よりも長い幅を持つコード押圧部１５１を備え、中央にはネジ１８０が貫通するための貫通孔１６０が穿設されている。
【００２５】
以上のように構成されたコードクランプ装置について、以下その動作、作用を説明する。
【００２６】
コード１４０をクランプベース１００に係止された支持帯１２０の上に配置した後、クランプカバー１５０をコード１４０に押圧する。この状態で、ネジ１８０をクランプカバー１５０中央に設けられた貫通孔１６０および支持帯１２０に設けられた貫通孔１２１を介して土台部１３１のネジ穴部１３０に挿入し、回転させることでクランプカバー１５０をクランプベース１００に締め付けて行く。
【００２７】
そしてクランプカバー１５０は複数の径の異なるコード１４０の上面を押圧するが、コード１４０に接する支持帯１２０はコード１４０に押され、リブ１１５との間で滑動し、複数の径の異なるコード１４０を均等に受け止める。支持帯１２０の滑動は支持帯１２０の撓みがなくなった時点で停止するため、滑動が停止した時点からネジ１８０を更に締め付けることで、支持帯１２０とクランプカバー１５０により、コード１４０が狭持されるので、一本のネジを締めるだけで、径の異なる複数のコード１４０を固定することができる。
【００２８】
すなわち、径の異なる独立した複数のコード１４０をネジ１８０により同時に押圧し固定することができるので、生産性の良いコードクランプ装置を提供できる。
【００２９】
加えて、支持帯１２０はポリアミドで形成されるため、支持帯１２０の形成が容易であるため、支持帯１２０を安価に形成ができる。つまり、安価なコードクランプ装置を提供できるという効果が得られる。
【００３０】
なお、クランプベース１００に形成される溝１１０はリブでなくても良く、押圧機構１９０にはネジ止め以外にも、スナップフィット機構を採用しても同様の効果を得られる。
【００３１】
さらに、支持帯をポリアミドで形成する場合、食い込み効果を与えるため、支持帯のコードと当接する箇所に細いリブ、もしくは微小突起を設けても良い。
【００３２】
なお、本実施の形態においてはクランプベース１００をケース１０１に一体に形成し、クランプカバー１５０にてコード１４０を押さえるものを例示したが、クランプカバーを樹脂製ケースに一体に形成しクランプベースにてコードを押さえる形態であっても同様の作用効果を有することは言うまでもない。
【００３３】
（実施の形態２）
図４は本発明の実施の形態２におけるコードクランプ装置のクランプベースとコードと支持帯の組み立て斜視図、図５は同実施の形態のコードクランプ装置のクランプカバーの斜視図、図６は同実施の形態のコードクランプ装置の全体の組み立て断面斜視図である。
【００３４】
樹脂製のケース２０１は冷蔵庫に使用されるコンプレッサーのインバーター用の基板２０３等を内包するための空洞部２０７を有し、基板２０３は空洞部２０７内にネジ２０４によって固定部２０５に固定されている。基板２０３にはコード２４０の取り付けが容易になるように複数のコネクター２０２が開口部２０６と平行に一列に設置されている。
【００３５】
コネクター２０２には、入力電源と制御信号の送信コードと、センサーからの受信コード等の複数のコード２４０が取り付けられる。複数のコード２４０は、コネクター２０２に接続後、開口部２０６に設けられた半円状のガイド部２０８に当接し、コードクランプ装置２１１へと導かれる。
【００３６】
コードクランプ装置２１１はケース２０１に一体に形成され、複数の溝１１０を備えたクランプベース２００と、複数の溝２１０にまたがるように配置され、可撓性を有する２本の支持帯２２０と、コード２４０を押さえるためのクランプカバー２５０と、クランプカバー２５０をクランプベース２００に固定するためのネジ２８０で構成されている。
【００３７】
クランプベース２００にはコードの最大径と押さえ代を足した高さよりも高い複数のリブ２１５によって複数の溝２１０が形成され、両端のリブ２１５には２本の支持帯２２０を保持するための２箇所の切り欠き２１６を形成するとともに、ネジ止め用の土台部２３１とネジ穴部２３０が切り欠きの間に設けられている。
【００３８】
支持帯２２０は鋼線の織物もしくはワイヤーで形成され、端部は線径よりも大きな径で形成された係止部２２５が設けられている。支持帯２２０は複数の溝２１０をまたがるとともに、両端のリブ２１５の切り欠き２１６で支持帯２２０の係止部２２５で係止され、両端のリブ２１５以外のリブ２１５との間では滑動できる状態で配設される。
【００３９】
クランプベース２００に設けられた複数の溝２１０と２本の支持帯２２０により、一本のコード２４０に対し２箇所の担持部２４３が形成されている。
【００４０】
樹脂製のクランプカバー２５０の幅は、複数の溝２１０を形成する両端のリブ２１５よりも長く、クランプベース２００と支持帯２２０によって形成された複数の担持部２４３に対応する位置にそれぞれ複数の押圧突起２７０が設けられており、また、それぞれ溝２１０に設けられた複数の担持部２４３の間に対応する位置にそれぞれ押圧突起２７０よりも高い凸部２７５が設けられるとともに、クランプカバー２５０中央にはネジ２８０が貫通するための貫通孔２６０が穿設されている。
【００４１】
以上のように構成されたコードクランプ装置について、以下その動作、作用を説明する。
【００４２】
コード２４０を支持帯２２０の上に配置した後、クランプカバー２５０に設けられた凸部２７５と押圧突起２７０をコード２４０に押圧する。
【００４３】
この状態で、ネジ２８０をクランプカバー２５０中央に設けられた貫通孔２６０を介して土台部２３１のネジ穴部２３０に挿入し、回転させることでクランプカバー２５０をクランプベース２００に締め付けて行く。
【００４４】
そしてクランプカバー２５０は複数の径の異なるコード２４０の上面を押圧するが、コード２４０に接する支持帯２２０はコード２４０に押され、リブ２１５との間で滑動し、複数の径の異なるコード２４０を均等に受け止める。支持帯２２０の滑動は支持帯２２０の撓みがなくなった時点で停止するため、滑動が停止した時点からネジ２８０を更に締め付けることで、支持帯２２０とクランプカバー２５０により、コード２４０が狭持される。この際、複数の支持帯２２０はワイヤーで形成されている細線であるので、コード２４０にかかる面圧が高く、支持帯２２０のコード２４０への咬持力が大きくなる。
【００４５】
加えて、２本の支持帯２２０の間に位置する凸部２７５がコード２４０を支持帯２２０の間でさらに押し込むので、コード２４０は湾曲し、その結果、コード２４０を軸芯方向への引張力に対する反力が増加し、コードが更に抜けにくくなる。
【００４６】
従って、コード２４０が軸芯方向に引っ張られてもコード２４０の抜けを防止することができるため、信頼性の高いコードクランプ装置を提供することができる。
【００４７】
また、溝２１０に対応した位置に設けられた押圧突起２７０によって、リブの高さよりも低い位置にコードを押し込むことができるため、コードクランプ装置２１１に使用できるコードの径の範囲を広げることができ、支持帯２２０の長さやリブ２１５の高さを使い分ける必要がないため、より安価なコードクランプ装置を提供できるという効果が得られる。
【００４８】
なお、本実施の形態においてはクランプベース２００をケース２０１に一体に形成し、クランプカバー２５０にてコード２４０を押さえるものを例示したが、クランプカバーを樹脂製ケースに一体に形成しクランプベースにてコードを押さえる形態であっても同様の作用効果を有することは言うまでもない。
【産業上の利用可能性】
【００４９】
以上のように、本発明にかかるコードクランプ装置は、作業性が良いため、家電製品以外にも、自動車やパソコンといったものにも適用できる。
【図面の簡単な説明】
【００５０】
【図１】本発明実施の形態１におけるコードクランプ装置のクランプベースとコードと支持帯の組み立て斜視図
【図２】同実施の形態１におけるコードクランプ装置のクランプカバーの斜視図
【図３】同実施の形態１におけるコードクランプ装置の組み立て分解斜視図
【図４】本発明実施の形態２におけるコードクランプ装置のクランプベースとコードと支持帯の組み立て斜視図
【図５】同実施の形態２におけるコードクランプ装置のクランプカバーの斜視図
【図６】同実施の形態２におけるコードクランプ装置の組み立て断面斜視図
【図７】従来のコードクランプ装置の組み立て正面図
【符号の説明】
【００５１】
１００，２００  クランプベース
１１０，２１０  溝
１１１，２１１  コードクランプ装置
１２０，２２０  支持帯
１４０，２４０  コード
１５０，２５０  クランプカバー
１９０  押圧機構
２７０  押圧突起
２７５  凸部
【図１】
2007104864.tif 000003
【図２】
2007104864.tif 000004
【図３】
2007104864.tif 000005
【図４】
2007104864.tif 000006
【図５】
2007104864.tif 000007
【図６】
2007104864.tif 000008
【図７】
2007104864.tif 000009